(57)【要約】【課題】  通信コストを抑えて携帯情報端末と通信可能であるエレベータ制御システムを提供することである。【解決手段】  本発明は、携帯情報端末を介する利用者からの要求に応じて動作し、携帯情報端末を介して利用者に上記動作の完了を通知するエレベータ制御システムであって、（ａ）携帯情報端末と通信可能なエレベータ側通信手段と、（ｂ）エレベータの情報から動作が完了する動作完了時間を算出する動作完了時間算出手段と、（ｃ）エレベータ側通信手段と通信可能な端末側通信手段と、端末側通信手段を制御することによってエレベータ側通信手段と端末側通信手段との通信の接続および切断を行う通信制御手段とを有する携帯情報端末とを含んでいる。通信制御手段が、動作完了時間の情報を得てエレベータ側通信手段と端末側通信手段との通信を切断し、略動作完了時間経過後、エレベータ側通信手段と端末側通信手段との通信を接続することを特徴とする。【選択図】図１
2006008383.tif 000002
【特許請求の範囲】
【請求項１】
携帯情報端末を介する利用者からの要求に応じて動作し、上記携帯情報端末を介して上記利用者に上記動作の完了を通知するエレベータ制御システムであって、
（ａ）上記携帯情報端末と通信可能なエレベータ側通信手段と、
（ｂ）エレベータの情報から上記動作が完了する動作完了時間を算出する動作完了時間算出手段と、
（ｃ）上記エレベータ側通信手段と通信可能な端末側通信手段と、上記端末側通信手段を制御することによって上記エレベータ側通信手段と上記端末側通信手段との通信の接続および切断を行う通信制御手段とを有する上記携帯情報端末とを含み、
上記通信制御手段が、上記動作完了時間の情報を得て上記エレベータ側通信手段と上記端末側通信手段との通信を切断し、略上記動作完了時間経過後、上記エレベータ側通信手段と上記端末側通信手段との通信を接続することを特徴とするエレベータ制御システム。
【請求項２】
携帯情報端末を介する利用者からの要求に応じて動作し、上記携帯情報端末を介して上記利用者に上記動作の完了を通知するエレベータ制御システムであって、
（ａ）上記携帯情報端末と通信可能なエレベータ側通信手段と、
（ｂ）上記エレベータ側通信手段と通信可能な端末側通信手段と、
エレベータの情報から上記動作が完了する動作完了時間を算出する動作完了時間算出手段と、上記端末側通信手段を制御することによって上記エレベータ側通信手段と上記端末側通信手段との通信の接続および切断を行う通信制御手段とを有する上記携帯情報端末とを含み、
上記通信制御手段が、上記動作完了時間の情報を得て上記エレベータ側通信手段と上記端末側通信手段との通信を切断し、略上記動作完了時間経過後、上記エレベータ側通信手段と上記端末側通信手段との通信を接続することを特徴とするエレベータ制御システム。
【請求項３】
携帯情報端末を介する利用者からの要求に応じて動作し、上記携帯情報端末を介して上記利用者に上記動作の完了を通知するエレベータ制御装置であって、
（ａ）上記携帯情報端末と通信可能な通信手段と、
（ｂ）エレベータの情報から上記動作が完了する動作完了時間を算出する動作完了時間算出手段とを含み、
上記携帯情報端末が上記動作の完了まで上記通信手段との通信を切断するための上記動作完了時間を上記携帯情報端末に通知することを特徴とするエレベータ制御装置。
【請求項４】
上記携帯情報端末に、上記動作完了時間の情報を得て上記通信手段と上記携帯情報端末との通信の接続および切断を行う通信制御手段を提供する提供手段を有し、
上記通信制御手段が、上記動作完了時間の情報を得て上記通信手段と上記情報携帯端末との通信を切断し、略上記動作完了時間経過後、上記通信手段と上記情報携帯端末との通信を接続することを特徴とする請求項３に記載のエレベータ制御装置。
【請求項５】
携帯情報端末を介する利用者からの要求に応じて動作し、上記携帯情報端末を介して上記利用者に上記動作の完了を通知するエレベータ制御装置であって、
上記携帯情報端末と通信可能な通信手段を含み、
上記携帯情報端末が上記動作の完了まで上記通信手段との通信を切断するためのエレベータ情報を通知することを特徴とするエレベータ制御装置。
【請求項６】
上記携帯情報端末に、上記エレベータの情報から上記動作が完了する動作完了時間を算出する動作完了時間算出手段と、上記動作完了時間の情報を得て上記通信手段と上記携帯情報端末との通信の接続および切断を行う通信制御手段を提供する提供手段を有し、
上記通信制御手段が、上記動作完了時間の情報を得て上記通信手段と上記情報携帯端末との通信を切断し、略上記動作完了時間経過後、上記通信手段と上記情報携帯端末との通信を接続することを特徴とする請求項５に記載のエレベータ制御装置。
【請求項７】
エレベータ制御装置に動作を要求し、上記エレベータ制御装置から上記動作の完了を通知される携帯情報端末であって、
上記エレベータ制御装置と通信可能な通信手段と、
上記エレベータ制御装置から上記動作が完了する動作完了時間を得て上記通信手段と上記エレベータ制御装置との通信を切断し、略上記動作完了時間経過後、上記通信手段と上記エレベータ制御装置との通信を接続する通信制御手段とを含むことを特徴とする携帯情報端末。
【請求項８】
エレベータ制御装置に動作を要求し、上記エレベータ制御装置から上記動作の完了を通知される携帯情報端末であって、
上記エレベータ制御装置と通信可能な通信手段と、
上記エレベータ制御装置からエレベータの情報を得て上記動作が完了する動作完了時間を算出する動作完了時間算出手段と、
上記動作完了時間を得て上記通信手段と上記エレベータ制御装置との通信を切断し、略上記動作完了時間経過後、上記通信手段と上記エレベータ制御装置との通信を接続する通信制御手段とを含むことを特徴とする携帯情報端末。
【発明の詳細な説明】
【技術分野】
【０００１】
本発明は、携帯情報端末と通信可能なエレベータ制御システムに関するものであり、特に、携帯情報端末の要求に応じて動作を行うエレベータ制御システムに関する。
【背景技術】
【０００２】
従来、携帯情報端末と、携帯情報端末の要求に応じて動作を行うエレベータ制御装置から構成されるエレベータ制御システムとして特許文献１のものがある。これは、携帯情報端末によって乗り場呼び登録（利用者が乗車する階にエレベータのかごを呼ぶ登録）されるエレベータ制御システムであり、利用者が乗車する階にかごが到着したことを携帯情報端末に通知する。
【特許文献１】特開２００３−１９２２４４号公報
【発明の開示】
【発明が解決しようとする課題】
【０００３】
しかしながら、上記のエレベータ制御システムにおいて、携帯情報端末は、いつ通知（送信）されるかわからないエレベータ制御装置からのかごの乗り場階（利用者が乗車する階）到着完了情報を受信する必要がある。このため、常に、エレベータ制御装置と通信可能状態で維持されなければならず、通信コストが上昇するという問題があった。ここで、通信コストは、商業的な通信回線を使用して通信した場合の通信回線使用料のみならず、通信可能状態を維持するのに必要な電力に対する費用（例えば、エレベータ制御装置からの情報を受信する受信回路の受信待機間に消費する電力の費用）も含んでいる。
【０００４】
そこで、本発明は、エレベータ制御装置からの情報（かごの乗り場階到着完了情報）の送信可能な時期（かごが乗り場階に到着する時期）を特定し、その送信時期に合わせて携帯情報端末をエレベータ制御装置と通信可能状態とすることにより、通信コストを低減することができるエレベータ制御システムを提供することを目的とする。
【課題を解決するための手段】
【０００５】
本発明のエレベータ制御システムは、
携帯情報端末を介する利用者からの要求に応じて動作し、上記携帯情報端末を介して上記利用者に上記動作の完了を通知するエレベータ制御システムであって、
（ａ）上記携帯情報端末と通信可能なエレベータ側通信手段と、
（ｂ）エレベータの情報から上記動作が完了する動作完了時間を算出する動作完了時間算出手段と、
（ｃ）上記エレベータ側通信手段と通信可能な端末側通信手段と、上記端末側通信手段を制御することによって上記エレベータ側通信手段と上記端末側通信手段との通信の接続および切断を行う通信制御手段とを有する上記携帯情報端末とを含み、
上記通信制御手段が、上記動作完了時間の情報を得て上記エレベータ側通信手段と上記端末側通信手段との通信を切断し、略上記動作完了時間経過後、上記エレベータ側通信手段と上記端末側通信手段との通信を接続することを特徴とする。
【発明の効果】
【０００６】
本発明によれば、エレベータ制御装置からの情報の送信可能な時期を特定することができ、その送信時期に合わせて携帯情報端末をエレベータ制御装置と通信可能状態とすることによって通信コストの低減が可能になる。
【発明を実施するための最良の形態】
【０００７】
本発明のエレベータ制御システムは、携帯情報端末とエレベータ制御システムとから構成されており、エレベータ制御装置と携帯情報端末とは相互に通信可能である。利用者は携帯情報端末を介してエレベータ制御装置に動作を要求し、又、要求した動作の完了の通知を受ける。本明細書内において、携帯情報端末は、エレベータ制御装置と通信可能な通信手段を有し、例えば、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ）、ノートパソコンなどが含まれる。また、エレベータ制御装置に動作を要求し、動作の完了の通知を受けるためだけの専用携帯情報端末も含まれる。
【０００８】
エレベータ制御装置と携帯情報端末とが有する相互に通信可能な通信手段は、通信方法によって異なる。エレベータ制御装置と携帯情報端末との通信にインターネットが使用される場合、例えば、携帯電話は、ｉアプリ（商標）などのＪａｖａ（商標）言語で作成されたアプリケーションを実行できる環境（プラットホーム）を有する。利用者は、携帯電話に保持（記憶）されたアプリケーションを介してインターネットに接続し、インターネットからの情報を受信する。一方、エレベータ制御装置は、アプリケーションを介して利用者に情報を提供するために、インターネットに接続されたｗｅｂサーバを有する。インターネットを介して、アプリケーションからｗｅｂサーバに、逆も同様に、情報が通信される。
【０００９】
他の通信手段として、例えば、ＬＡＮ（Ｌｏｃａｌ  Ａｒｅａ  Ｎｅｔｗｏｒｋ）を介する場合は無線ＬＡＮや、ネットワークなどを介せずエレベータ制御装置と携帯情報端末とを通信する赤外線通信装置などが存在する。
【００１０】
以下、上記アプリケーションとｗｅｂサーバとを用いた実施の形態について説明するが、これは、通信手段をアプリケーションとｗｅｂサーバに限定するものではない。アプリケーションとｗｅｂサーバとを通信手段とする通信方法は、携帯情報端末とエレベータ制御装置との通信方法から適宜選択される。
【００１１】
実施の形態１．
図１には、本発明の実施の形態１に係るエレンベータ制御システム１００が示されている。エレベータ制御システム１００は、エレベータ制御装置１１０と携帯情報端末である携帯電話１２０とを有する。エレベータ制御装置１１０は、図示されている構成要素以外に、かごを運行制御するかご制御手段や利用者が要求する呼びをかごに割り当てる（登録する）ための呼び制御手段などを適宜有するが、これらエレベータ制御装置として当然有するものであるため、図示や詳細な説明は省略する。また、本実施の形態において、利用者が要求する動作は、利用者が乗車する階（乗り場階）にかごを呼ぶ動作、言い換えると、乗り場呼びである。
【００１２】
エレベータ制御装置１１０は、後述の携帯電話１２０との通信手段としてインターネット１１２と接続されたｗｅｂサーバ１１４を有する。ｗｅｂサーバ１１４は、後述のアプリケーションをアプリケーション保存部１８に記憶している。また、エレベータ制御装置１１０は、携帯電話１２０から要求された動作が完了する時間をエレベータの情報から算出する、本実施の形態においては、かごが乗り場階に到着する時間を算出する動作完了時間算出手段１１６を有する。ここで、エレベータの情報には、かご数、かごの移動速度、かごの戸の開閉速度など原則的に変化しない情報や、動作完了時間算出時における呼び登録やかごの進行方向などの変化するかごの運行情報が含まれている。
【００１３】
動作完了時間算出手段１１６は、１つの手段として図示されているが、エレベータ制御装置１１０として当然必要な図示されていない構成要素に組み込まれていてもよい。例えば、エレベータ制御装置がかごの運行を最適化してエレベータシステムを制御している場合、かごの乗り場に到着する時間はかごの運行の最適化のために算出されている。
【００１４】
携帯電話１２０は、インターネット１１２と選択的なインターネット接続１２２が可能な通信手段（携帯情報端末側通信手段）１２４を有する。また、携帯電話１２０は、インターネット１１２上の又はインターネットに接続されたｗｅｂサーバ１１４内のｗｅｂページを閲覧するｗｅｂブラウザ１２６と、上記のようなアプリケーションを実行できる環境（プラットホーム）を有する。さらに、本実施の形態１においては、エレベータ制御装置１１０に乗り場呼びを要求（登録）するアプリケーション１２８を有する（以下、「乗り場呼び登録アプリ」と称する。）。
【００１５】
乗り場呼び登録アプリ１２８は、ネットワークであるインターネット１１２に接続して情報を得ることができるネットワーク接続型のアプリケーションである。本実施の形態では、エレベータ制御装置１１０が提供手段であるｗｅｂサーバ１１６を介して提供したものである。乗り場呼び登録アプリ１２８は、通信手段１２４を制御することによってエレベータ制御装置１１０と携帯電話１２０とのインターネット１１２を介する通信を接続または切断する通信制御部１３０と、利用者からの動作の要求（乗り場呼びの登録）を受け付けてエレベータ制御装置１１０に送信する動作受付部１３２と、利用者が要求した動作の完了（かごの乗り場階到着）を利用者に通知する動作完了通知部１３４とを含んでいる。
【００１６】
動作受付部１３２は、利用者が要求する動作（乗り場呼び）を携帯電話１２０の情報入力デバイス（例えば、電話番号入力ボタンなどのボタンやマイク）によって入力されて受け付ける。例えば、乗り場呼び登録アプリ１２８を実行すると、携帯電話１２０の情報出力デバイス（例えば、表示部やスピーカ）である表示部に乗り場呼び登録画面が表示される。この乗り場呼び登録画面上で、電話番号入力ボタンによって乗り場呼びが登録される。乗り場呼びとして、利用者が乗車する階（乗り場階）、乗り場階からの行き先階の方向（行き先方向）、行き先の階（降車階）、複数のかごをエレベータシステムが有する場合はかごの指定などが登録される。
【００１７】
動作完了通知部１３４は、利用者が要求した動作の完了（かごの乗り場階到着）を携帯電話１２０の情報出力デバイスによって通知する。例えば、通知は、表示部にかごの乗り場階到着の旨を表示したり、または、スピーカから音声を出力することによって行われる。携帯電話１２０が振動機能や発光部を有する場合は、振動や発光部の点滅で通知してもよく、また、これらを組み合わせて通知してもよい。
【００１８】
以下、本実施の形態のエレベータ制御システム１１０において、エレベータ制御装置１１０と携帯電話１２０と間の乗り呼び登録からかごの乗り場階到着の通知までの流れを、図２の処理フローを参照しながら説明する。
【００１９】
携帯電話１２０を所有する利用者は、まず、エレベータ制御装置１１０に乗り場呼び登録する乗り場呼び登録アプリ１２８を得るためにｗｅｂブラウザ１２６を起動する。利用者は、起動したｗｅｂブラウザ１２６からインターネット１１２を介してエレベータ制御装置１１０のｗｅｂサーバ１１４にアクセスし、アプリケーション保存部１１８内に保存されている乗り場呼び登録アプリ１２８を携帯電話１２０内のメモリにダウンロードする。
【００２０】
ダウンロードされた乗り場呼び登録アプリ１２８を起動する。次に、図２に示すステップ１０１０において、乗り場呼び登録アプリ１２８の動作受付部１３２に乗り場呼びを入力する。乗り場呼びの入力が終了すると、ステップ１０２０において、通信制御部１３０が通信手段１２４を制御して携帯電話１２０とインターネット１１２との間でインターネット接続１２２を行うことにより、インターネット１１２に接続されているエレベータ制御装置１１０のｗｅｂサーバ１１４と接続する。ステップ１０３０において、乗り場呼び登録アプリ１２８は、乗り場呼びの情報（乗り場呼び情報）をインターネット１１２を介してｗｅｂサーバ１１４に送信する。
【００２１】
ステップ１０４０において、ｗｅｂサーバ１１４は、乗り場呼び情報を受信する。続いて、ステップ１０５０において、ｗｅｂサーバ１１４から乗り場呼び情報の乗り場呼びがエレベータ制御装置１１０の呼び制御手段（図示せず）によってかごに割り当てられる（登録される。）。以下、このかごを乗り場呼び登録かごと称する。
【００２２】
次に、動作完了時間算出手段１１６が、乗り場呼び登録かごが乗り場階に到着するのに必要な最小の時間を算出する。ここで、乗り場呼び登録時において、乗り場呼び登録かごが乗り場階に存在する場合と存在しない場合とが考えられ、これらはステップ１０６０において判定される。乗り場呼び登録かごが登録時において乗り場階に存在する場合、ステップ１１５０に進む。存在しない場合、ステップ１０７０に進む。
【００２３】
ステップ１０７０において、乗り場呼び登録かごが乗り場階に乗り場呼び登録時において存在しない場合、乗り場呼び登録かごの乗り場階に到着する到着時間（乗り場階到着時間）が算出される。算出は、エレベータ制御装置１１０のかご制御手段（図示せず）や呼び制御手段（図示せず）からエレベータの情報を得ることによって算出される。
【００２４】
ステップ１０８０において、算出された乗り場階到着時間が、乗り場階到着時間情報として携帯電話１２０に送信される。
【００２５】
ステップ１０９０において、携帯電話１２０が乗り場階到着時間情報を受信する。続いて、ステップ１１００において、乗り場呼び登録アプリ１２８の通信制御部１３０は、受信した乗り場階到着時間情報に基づいて、乗り場階到着時間情報得たときから乗り場階到着時間が経過するまでの間、携帯電話１２０の通信手段２４とインターネット１１２とのインターネット接続１２２を切断する。この乗り場階到着時間に基づくインターネット接続１２２の切断期間は、厳密に乗り場階到着時間情報得たときから乗り場階到着時間が経過するまでとする必要はなく、例えば、インターネット通信速度を考慮してもよい。これは、乗り場階到着時間情報の送信中にも乗り場呼び登録かごは運行しており、乗り場階到着時間情報を得たときには、既に、算出した乗り場階到着時間と厳密には異なっているためである。
【００２６】
ステップ１１１０において、携帯電話１２０の通信手段１２４とインターネット１１２とのインターネット接続１２２を切断した状態で乗り場階到着時間が経過するまで待機する。
【００２７】
ステップ１１２０において、乗り場階到着時間経過後、通信制御部１３０は、携帯電話１２０の通信手段１２４とインターネット１１２とのインターネット接続１２２を行う。
【００２８】
続いて、ステップ１１３０において、乗り場呼び登録アプリ１２８は、乗り場呼び登録かごの状況の確認の要求を行うために、乗り場呼び登録かご状況確認要求情報をエレベータ制御装置１１０のｗｅｂサーバ１１４に送信する。
【００２９】
ステップ１１４０において、エレベータ制御装置１１０のｗｅｂサーバ１１４は、乗り場呼び登録かご状況確認要求情報を受信する。次に、ステップ１０６０において、乗り場呼び登録かごが乗り場階に存在するか否かを判定する。
【００３０】
乗り場呼び登録かごが乗り場に存在する場合、ステップ１１５０において、携帯電話１２０にかごの乗り場階到着通知情報を送信する。
【００３１】
乗り場呼び登録アプリ１２８は、ステップ１１６０においてかごの乗り場階到着通知情報を受信する。続いて、ステップ１１７０において、通信制御部１３０がインターネット接続１２２を切断し、更に、動作完了通知部１３４が利用者にかごの乗り場階到着を通知する。
【００３２】
本実施の形態の変形例として、乗り場呼び登録かごが乗り場階に存在しない場合において、算出した乗り場階到着時間経過後に行っていた、乗り場呼び登録かごの状況確認の要求（図２において、ステップ１１３０）を削除することができる。乗り場呼び登録かごの状況確認を行った後、未だに乗り場呼び登録かごが乗り場階に存在しない場合において、別のかごが乗り場階に近いまたは存在する可能性がある。このようなかごに乗り場呼びを登録するには、図３に示すような処理フローを行う。
【００３３】
図３の処理フローが、図２の処理フローと異なる点は、ステップ１１３０と１１４０が排除されたことと、ステップ１０７０と１０８０との間に新たなステップ１０７５が加わったこと、さらに、ステップ１１２０の後にステップ１０３０が続くことである。ステップ１０７５おいて、乗り場呼び登録かごの乗り場呼び登録が解除される。ステップ１１２０において、インターネット接続１２２が行われた後、ステップ１０３０に戻り、同じ乗り場呼び情報が再送信される。
【００３４】
また、本実施の形態において、乗り場階到着時間情報を得たときから乗り場階到着時間が経過するまでの間、インターネット接続１２２が切断されるが、これを算出された乗り場呼び登録かごの乗り場階到着時刻までインターネット接続１２２を切断するとしてもよい。この場合、インターネット１１２のネット状況（回線の混雑具合や経由する回線の違い）によって携帯電話１２０からｗｅｂサーバ１１４への情報送信速度（逆も含む）に変動が生じた場合であっても、正確にインターネット接続１２２の接続や切断が行える。
【００３５】
このような変形例も、当然ながら本発明の範囲内に含まれる。
【００３６】
本実施の形態によれば、エレベータ制御装置からの情報の送信可能な時期を特定することができ、その送信時期に合わせて携帯情報端末をエレベータ制御装置と通信可能状態とすることによって通信コストの低減が可能になる。
【００３７】
実施の形態２．
図４に本実施の形態のエレベータ制御システムが示されている。本実施の形態は、動作完了時間算出手段が携帯情報端末に存在する点で実施の形態１のエレベータ制御システムと異なる。実施の形態１と同一の機能を有する構成要素は、実施の形態１の符号に１００を加えて示している。実施の形態１と異なる点を中心に説明する。
【００３８】
携帯電話２２０に記憶されている（ダウンロードされた）乗り場呼び登録アプリ２２８は、携帯電話２２０が要求する動作が完了する時間を算出する、本実施の形態においては、かごが乗り場に到着する時間を算出する動作完了時間算出部２１６と、エレベータ制御装置２１０が制御しているエレベータシステムのエレベータの情報を有するエレベータ情報保存部２３６とを含んでいる。
【００３９】
エレベータ情報保存部２３６には、エレベータシステムの構成情報、例えば、エレベータの情報には、かご数、かごの移動速度、かごの戸の開閉速度など原則的に変化しない情報が保存されている。
【００４０】
本実施の形態において、乗り場呼び登録アプリ２２８からのインターネット２１２を介してｗｅｂサーバ２１４に送信された乗り場呼びの登録情報が、呼び制御手段（図示せず）によって乗り場呼び登録されるとともに、乗り場呼び登録時におけるエレベータシステムのエレベータの情報、例えば、乗り場呼び登録時における呼び登録やかごの進行方向などのかごの運行状況の情報が、ｗｅｂサーバ２１４からインターネット２１２を介して乗り場呼び登録アプリ１２８に送信される。
【００４１】
動作完了時間算出部２１６は、乗り場呼び登録時におけるエレベータの情報（かごの運行状況やエレベータシステムの構成情報）から、乗り場呼び登録かごの到着時間を算出する。この到着時間に基づいて、通信制御部２３０は、実施の形態１と同様に、インターネット接続２２２を切断する。
【００４２】
エレベータ情報保存部２３６は、必ずしも乗り場呼び登録アプリ２２８に含まれなくてもよい。この場合、エレベータシステムの構成情報をかごの運行状況の情報とともにエレベータ制御装置から得ればよい。
【００４３】
本実施の形態によれば、実施の形態１の効果とともに、携帯電話２２０が動作完了時間算出部２１６を有するため、エレベータ制御装置２１０、特に、ｗｅｂサーバ２１４の処理負担が軽減される効果を得ることができる。それにより、多数の携帯電話から乗り場呼び登録されても、処理速度を落とすことなく乗り場呼び登録を実行することができる。
【００４４】
以上、乗り場呼び登録アプリは、エレベータ制御装置のｗｅｂサーバからダウンロードしたものであったが、携帯電話に最初から搭載されていてもかまわない。また、乗り場呼び登録アプリは、使用されるプラットフォームが異なるため若干の変更を行う必要があるが、同じようにインターネット接続可能な携帯情報端末において使用されることも可能である。さらに、インターネットを用いないまたは用いても上記と異なる通信方法においても、本発明の意図や範囲から逸脱することなく類似の方法により、乗り場呼び登録やかごの乗り場階到着の通知が実施可能なのは明らかである。
【００４５】
加えて、利用者が携帯情報端末を介してエレベータ制御装置に要求する動作は、乗り場呼び登録以外の他の動作でも可能である。例えば、エレベータシステム管理者がエレベータシステムの保守運転や慣らし運転を行う場合、要求される動作として保守運転や慣らし運転を要求し、動作完了の通知として保守運転や慣らし運転の終了を通知されてもよい。このように、完了時間を算出することが可能である動作であれば、上記のように通信コストを低減することができる通信によって動作の完了の通知が可能になる。
【図面の簡単な説明】
【００４６】
【図１】本発明の実施の形態１に係るエレベータ制御システムの概略図である。
【図２】本発明の実施の形態１に係るエレベータ制御システムにおいて実施される処理のフローである。
【図３】本発明の実施の形態１に係るエレベータ制御システムにおいて実施される別の処理のフローである。
【図４】本発明の実施の形態２に係るエレベータ制御システムの概略図である。
【符号の説明】
【００４７】
１１０  エレベータ制御システム、  １１２  インターネット、  １１４  ｗｅｂサーバ、  １１６  動作完了時間算出手段、  １１８  アプリケーション保存部、  １２０  携帯電話、  １２２  インターネット接続、  １２４  通信手段、  １２６  ｗｅｂブラウザ、  １２８  アプリケーション、  １３０  通信制御部、  １３２  動作受付部、  １３４  動作完了通知部、
２１０  エレベータ制御システム、  ２１２  インターネット、  ２１４  ｗｅｂサーバ、  ２１６  動作完了時間算出手段、  ２１８  アプリケーション保存部、  ２２０  携帯電話、  ２２２  インターネット接続、  ２２４  通信手段、  ２２６  ｗｅｂブラウザ、  ２２８  アプリケーション、  ２３０  通信制御部、  ２３２  動作受付部、  ２３４  動作完了通知部、  ２３６  エレベータ情報保存部
【図１】
2006008383.tif 000003
【図２】
2006008383.tif 000004
【図３】
2006008383.tif 000005
【図４】
2006008383.tif 000006